(57)【要約】      （修正有）【課題】捕集対象の異物が集塵機用ファン内に入り込むことなく吸引されて捕集される集塵機用ファンと集塵機を提供する。【解決手段】吸気口３５を介して吸引した空気を吐出口３７を介して吐出する集塵機用ファン３１において、吐出口に吐出配管４１が連結され、吐出配管には集塵用吸引配管４３と吸引ホース４４が分岐接続され、吐出配管内にはフローノズル５１が内装され、フローノズルによるベンチュリー作用によって吸引作用を発生させ、その吸引作用によって異物４６を集塵機用ファンを通すことなく集塵用吸引配管から吸引する。【選択図】図１
0003228557.tif 000002
【実用新案登録請求の範囲】
【請求項１】
吸気口と吐出口を備えたケーシングと、上記ケーシング内に回転可能に内装された羽根車と、を具備し、上記吸気口を介して吸引した空気を上記吐出口を介して吐出する集塵機用ファンにおいて、
上記吐出口には吐出配管が連結されていて、
上記吐出配管には集塵用吸引配管が分岐接続されていて、
上記吐出配管内にはフローノズルが内装されていて、
上記吸気口を介して吸引した空気を上記吐出口を介して上記吐出配管に吐出し、その吐出空気が上記フローノズルを通過する際のベンチュリー作用によって、上記集塵用吸引配管を介して異物を含んだ空気を上記羽根車を迂回して吸引するようにしたことを特徴とする集塵機用ファン。
【請求項２】
請求項1記載の集塵機用ファンにおいて、
上記集塵用吸引配管は上記吐出配管に対して挟角が４５°以下で分岐接続されていることを特徴とする集塵機用ファン。
【請求項３】
請求項１又は請求項２記載の集塵機用ファンにおいて、
上記吸気口にはメッシュ部材が設けられていることを特徴とする集塵機用ファン。
【請求項４】
空気流入口を備えたドラムと、
上記ドラムの上方に取り付けられたフィルタと、
上記ドラムの下方に取り付けられた袋体と、
上記空気流入口にその吐出配管が連結された請求項１〜請求項３の何れかに記載の集塵機用ファンと、
を具備したことを特徴とする集塵機。
【請求項５】
請求項４記載の集塵機において、
上記集塵機用ファンの上記集塵用吸引配管には吸引ホースが連結されていて、この吸引ホースは、異物が発生する場所まで延長されていることを特徴とする集塵機。
【請求項６】
請求項５記載の集塵機において、
上記異物は紐状物であることを特徴とする集塵機。
【請求項７】
請求項６記載の集塵機において、
上記紐状物は連続帳票の左右から切り離された耳部であることを特徴とする集塵機。
【考案の詳細な説明】
【技術分野】
【０００１】
本考案は、集塵機用ファンと集塵機に係り、特に、比較的大きな異物、例えば、連続帳票の左右から切り離された耳部のような紐状物を、集塵機用ファンを迂回して吸引・捕集することができるように工夫したものに関する。
【背景技術】
【０００２】
従来の集塵機の構成を開示するものとして、例えば、特許文献１がある。
上記特許文献１に開示されている集塵機用ファンは概略次のような構成をなしている。
【０００３】
まず、吸気口と排気口を備えたケーシングがある。上記ケーシング内には複数のブレードを備えた羽根車が回転可能に内装されている。上記吸気口は上記羽根車の回転中心に対して偏心した位置に設けられている。上記吸気口には吸気管が連結されていて、上記羽根車を回転させることで、上記吸気管を介して上記ケーシング内に外部から塵埃を含んだ空気を吸引する。
【０００４】
上記排気口は中継ダクトを介して集塵機のドラムに連結されている。上記ケーシング内に吸引された空気は上記羽根車の回転によって上記排気口から上記ドラム内へと排出される。吸引された空気に含まれる異物や塵埃は袋体内に落下して捕集される。空気はフィルタを通過することにより浄化されて外部に放出される。
【０００５】
このような構成の集塵機は、紐状物、例えば、連続帳票の左右の耳部のようなものが発生する環境下で使用されることがある。上記連続帳票の左右には所定のピッチで穴が明けられた耳部がミシン目を介して連設されている。これら左右の耳部は最終的には連続帳票本体から切り離される。
上記したように、吸気口が羽根車の回転中心に対して偏心した位置に設けられているので、上記連続帳票の左右の耳部が吸引されても、上記羽根車に巻き付いてしまうことを防止することができる。
尚、特許文献１は本件実用新案登録出願人による出願である。
【先行技術文献】
【特許文献】
【０００６】
【特許文献１】実用新案登録第３２１７７９０号公報
【考案の概要】
【考案が解決しようとする課題】
【０００７】
上記従来の構成によると、次のような問題があった。
すなわち、紐状物、例えば、連続帳票の左右の耳部のようなものが羽根車に巻き付いてしまうことを防止することはできるが、それら紐状物が上記羽根車に衝突して騒音が発生してしまうという問題があった。
【０００８】
本考案はこのような点に基づいてなされたものでその目的とするところは、比較的大きな異物、例えば、連続帳票の左右から切り離された耳部のような紐状物を、集塵機用ファンを迂回して吸引・捕集することができる集塵機用ファンと集塵機を提供することにある。
【課題を解決するための手段】
【０００９】
上記目的を達成するべく本願考案の請求項１による集塵機用ファンは、吸気口と吐出口を備えたケーシングと、上記ケーシング内に回転可能に内装された羽根車と、を具備し、上記吸気口を介して吸引した空気を上記吐出口を介して吐出する集塵機用ファンにおいて、上記吐出口には吐出配管が連結されていて、上記吐出配管には集塵用吸引配管が分岐接続されていて、上記吐出配管内にはフローノズルが内装されていて、上記吸気口を介して吸引した空気を上記吐出口を介して上記吐出配管に吐出し、その吐出空気が上記フローノズルを通過する際のベンチュリー作用によって、上記集塵用吸引配管を介して異物を含んだ空気を上記羽根車を迂回して吸引するようにしたことを特徴とするものである。
又、請求項２による集塵機用ファンは、請求項1記載の集塵機用ファンにおいて、上記集塵用吸引配管は上記吐出配管に対して挟角が４５°以下で分岐接続されていることを特徴とするものである。
又、請求項３による集塵機用ファンは、請求項１又は請求項２記載の集塵機用ファンにおいて、上記吸気口にはメッシュ部材が設けられていることを特徴とするものである。
又、請求項４による集塵機は、空気流入口を備えたドラムと、上記ドラムの上方に取り付けられたフィルタと、上記ドラムの下方に取り付けられた袋体と、上記空気流入口にその吐出配管が連結された請求項１〜請求項３の何れかに記載の集塵機用ファンと、を具備したことを特徴とするものである。
又、請求項５による集塵機は、請求項４記載の集塵機において、上記集塵機用ファンの上記集塵用吸引配管には吸引ホースが連結されていて、この吸引ホースは、異物が発生する場所まで延長されていることを特徴とするものである。
又、請求項６による集塵機は、請求項５記載の集塵機において、上記異物は紐状物であることを特徴とするものである。
又、請求項７による集塵機は、請求項６記載の集塵機において、上記紐状物は連続帳票の左右から切り離された耳部であることを特徴とするものである。
【考案の効果】
【００１０】
以上述べたように本願考案の請求項１による集塵機用ファンによると、吸気口と吐出口を備えたケーシングと、上記ケーシング内に回転可能に内装された羽根車と、を具備し、上記吸気口を介して吸引した空気を上記吐出口を介して吐出する集塵機用ファンにおいて、上記吐出口には吐出配管が連結されていて、上記吐出配管には集塵用吸引配管が分岐接続されていて、上記吐出配管内にはフローノズルが内装されていて、上記吸気口を介して吸引した空気を上記吐出口を介して上記吐出配管に吐出し、その吐出空気が上記フローノズルを通過する際のベンチュリー作用によって、上記集塵用吸引配管を介して異物を含んだ空気を上記羽根車を迂回して吸引するようにしたので、捕集対象の異物が上記集塵機用ファン内に入り込むことなく、異物が集塵機用ファンに衝突して騒音が発生することを防止することができる。
又、請求項２による集塵機用ファンによると、請求項1記載の集塵機用ファンにおいて、上記集塵用吸引配管は上記吐出配管に対して挟角が４５°以下で分岐接続されているので、高い吸引作用を得ることができ上記効果を確実なものとすることができる。
又、請求項３による集塵機用ファンによると、請求項１又は請求項２記載の集塵機用ファンにおいて、上記吸気口にはメッシュ部材が設けられているので、上記吸気口からの異物の進入を防止することができる。
又、請求項４による集塵機によると、空気流入口を備えたドラムと、上記ドラムの上方に取り付けられたフィルタと、上記ドラムの下方に取り付けられた袋体と、上記空気流入口にその吐出配管が連結された請求項１〜請求項３の何れかに記載の集塵機用ファンと、を具備したので、捕集対象の異物が上記集塵機用ファンを迂回してドラム内に吸引することができる。
又、請求項５による集塵機によると、請求項４記載の集塵機において、上記集塵機用ファンの上記集塵用吸引配管には吸引ホースが連結されていて、この吸引ホースは、異物が発生する場所まで延長されているので、異物を集塵機用ファンを迂回してドラム内に確実に吸引することができる。
又、請求項６による集塵機によると、請求項５記載の集塵機において、上記異物は紐状物であり、このような紐状物を集塵機用ファンを迂回してドラム内に確実に吸引することができる。
又、請求項７による集塵機によると、上記紐状物は連続帳票の左右から切り離された耳部であるので、このような耳部を集塵機用ファンを迂回してドラム内に確実に吸引することができる。
【図面の簡単な説明】
【００１１】
【図１】本考案の一実施の形態を示す図で、集塵機の正面図である。
【図２】本考案の一実施の形態を示す図で、図1のＩＩ−ＩＩ矢視図である。
【図３】本考案の一実施の形態を示す図で、集塵用吸引配管と吐出配管面の断面図である。
【図４】本考案の一実施の形態を示す図で、図３のＩＶ−ＩＶ矢視図である。
【考案を実施するための形態】
【００１２】
図１乃至図４を参照しながら、本考案の一実施の形態について説明する。この一実施の形態による集塵機１にはドラム３がある。上記ドラム３は、図１中上下方向両側が開口された筒状の部材で、側面には流入ダクト５が設けられている。又、上記集塵機１にはフィルタ７がある。上記フィルタ７は図１中上側のフィルタ本体９と図１中下側の連結部１１とから構成されている。上記フィルタ本体９は袋状をなしていて図１中下側のみが開口されており、例えば、不織布から構成されている。上記連結部１１は図１中上下方向両側が開口され下側が縮径された筒状の部材で、その下側を介して上記ドラム３に連結されており、又、その上側に上記フィルタ本体９が取り付けられている。
尚、上記フィルタ本体９は図示しない吊り下げアームによって、起立した状態で保持されている。
又、上記ドラム３はフレーム１３によって支持されている。
【００１３】
上記集塵機１には袋体２１がある。この袋体２１は上記ドラム３の図１中下側に着脱可能に設置されている。上記フレーム１３の上記袋体２１の図１中下側には台座２３があり、この台座２３の図１中下側には複数個の移動用キャスター２５が設置されている。
【００１４】
上記集塵機１には集塵機用ファン３１がある。この集塵機用ファン３１は、上記台座２３の図１中右側に設置されている。上記集塵機用ファン３１にはケーシング３３がある。このケーシング３３は中空の部材で図１中右側の面には吸気口３５が設けられ、図２中右上側には吐出口３７が設けられている。上記吸気口３５にはメッシュ部材３９が設けられているとともに、図１中下側が開口された吸気口カバ４０によって覆われている。
【００１５】
又、上記ケーシング３３内には羽根車５３が回転可能に設置されている。上記台座２３にはモータ６１が設置されていて、このモータ６１によって上記羽根車５３が回転される。
【００１６】
又、上記吐出口３７には吐出配管４１が連結されていて、上記吐出配管４１は上記流入ダクト５に連結されている。上記吐出配管４１の図１中右側には集塵用吸引配管４３が分岐接続されている。上記集塵用吸引配管４３は、図３に示すように、上記吐出配管４１に対して挟角が４５°以下（本実施の形態の場合には３０°）で分岐接続されている。上記吸引配管４３には吸引ホース４４が連結されていて、その吸引ホース４４は、例えば、連続帳票の左右の耳部４６が切り話されて空気中に飛散するような場所まで延長されている。
【００１７】
又、図３に拡大して示すように、上記吐出配管４１の内部であって吐出口３７側（図３中下側）にはフローノズル５１が内装されている。上記フローノズル５１は、先端側（図３中上側）が縮径されたテーパ形状をなしていて、図３中上下両側が開口されている。図３に示すように、上記フローノズル５１の先端側（図３中上側）は上記集塵用引配管４３と上記吐出配管４１が合流する部分に配置されている。このフローノズル５１によるベンチュリー作用によって上記集塵用吸引配管４３を介して吸引作用を発生させる。
【００１８】
次に、この一実施の形態による作用について説明する。
モータ６１によって羽根車５３が回転されると、吸気口３５から外部の空気がケーシング３３内に吸入される。このとき上記空気中に含まれる異物はメッシュ部材３９によって捕集されるので上記ケーシング３３内に入り込むことはない。
【００１９】
上記ケーシング３３内に吸入された上記空気は、吐出口３７、フローノズル５１を介して吐出配管４１側に吐出される。このときフローノズル５１によるベンチュリー作用によって、集塵用吸引配管４３を介して吸引作用が発生する。すなわち、フローノズル５１の絞り効果により流速が増大して動圧が高くなるとともに静圧が低下し、その静圧の低下によって上記吸引作用が発生する。
【００２０】
上記吸引配管４３に連結された吸引ホース４４は、例えば、連続帳票の左右の耳部４６が切り離されて空気中に飛散するような場所まで延長されている。よって、左右の耳部４６を含んだ空気は、上記吸引ホース４４及び吸引配管４３を介して、集塵機用ファン３１を迂回して吐出配管内４１内に吸引され、上記ドラム３内に排出される。
【００２１】
トラム３内に排出された連続帳票の左右の耳部４６は比較的大きくてある程度の重量もあるのでそのまま袋体２１内に落下・捕集される。その他の軽量な異物や塵埃を含んだ空気は上記ドラム３内からフィルタ７内に移動する。上記空気は上記フィルタ７のフィルタ本体９を通過することにより浄化されて外部に排出される。上記軽量な異物や塵埃は上記フィルタ本体９に捕集され、袋体２１側（図１中下側）に落下する。
【００２２】
次に、この一実施の形態による効果について説明する。
まず、連続帳票から切り離された左右の耳部４６のような紐状物を、集塵機用ファン３１を迂回して吸引・捕集することができる。それによって、それら紐状物が集塵機用ファン３１の羽根車３３に衝突して騒音が発生することを防止することができる。
これは、吐出配管４１に集塵用吸引配管４３を分岐接続し、且つ、吐出配管４１内にフローノズル５１を内装し、そのフローノズル５１によるベンチュリー作用によって吸引作用を発生させ、その吸引作用によって上記連続帳票から切り離された左右の耳部４６のような紐状物を、集塵機用ファン３１を通すことなく吸引するようにしたからである。
又、上記吸気口３５にはメッシュ部材３９が設けられているので、上記吸気口３５からの異物の進入を防止することができる。又、吸気口３５自体は連続帳票の左右の耳部４６が切り離されて空気中に飛散するような場所から離間しているので、吸気口３５に上記左右の耳部４６等が吸引されることはなく、当然のことながら、メッシュ部材３９がそれら左右の耳部４６等によって閉塞されることもない。
又、上記集塵用吸引配管４３は上記吐出配管４１に対して挟角が４５°以下（本実施の形態の場合には３０°）で分岐接続されているので、発生する吸引力も高く、モータ６１を大型化することなく所望の吸引力を得ることができる。
【００２３】
尚、本考案は前記一実施の形態に限定されない。
前記一実施の形態の場合には、集塵用吸引配管と吐出配管の接続角度を３０°としたが、それに限定されるものではなく、４５°以下であれば、様々な場合が考えられる。
又、前記一実施の形態の場合には、連続帳票から切り離された左右の耳部のような紐状物が発生する現場を想定して説明したが、それだけに限定されるものではなく、耳部以外の紐状物、紐状物以外の異物についても適用可能である。
その他、図示した構成はあくまで一例である。
【産業上の利用可能性】
【００２４】
本考案は、集塵機用ファンと集塵機に係り、特に、比較的大きな異物を集塵機用ファンを迂回して吸引・捕集することができるように工夫したものに関し、例えば、連続帳票から切り離された左右の耳部のような紐状物が発生する現場に設置する集塵機に好適である。
【符号の説明】
【００２５】
１  集塵機
３  ドラム
７  フィルタ
２１  袋体
３１  集塵機用ファン
３５  吸気口
３７  吐出口
３９  メッシュ部材
４１  吐出配管
４３  吸引配管
５１  フローノズル
【図１】
0003228557.tif 000003
【図２】
0003228557.tif 000004
【図３】
0003228557.tif 000005
【図４】
0003228557.tif 000006